(57)【要約】電流の大きさに応じて輝度が変化する有機ＥＬ発光部１０と、有機ＥＬ発光部１０に電流を制御して電圧を印加する電源供給部２０と、有機ＥＬ発光部１０を発光させるための信号を電源供給部２０に与える制御部３０とを有し、電源供給部２０が、制御部３０から与えられた信号に応じて電流を制御することにより電圧を有機ＥＬ発光部１０に印加する有機ＥＬ照明装置において、電源供給部２０が、電源投入時または電源切断時に、有機ＥＬ発光部１０に印加する電圧を線形に上昇または降下させる。
2013015094.tif 000002
【特許請求の範囲】
【請求項１】
電流の大きさに応じて輝度が変化する発光素子部と、前記発光素子部に電流を制御して電圧を印加する電源供給部と、前記発光素子部を発光させるための信号を前記電源供給部に与える制御部とを有し、前記電源供給部が、前記制御部から与えられた信号に応じて電流を制御することにより電圧を前記発光素子部に印加する有機ＥＬ照明装置において、
前記電源供給部は、電源投入時または電源切断時に、前記発光素子部に印加する電圧を線形に上昇または降下させる制御を行うことを特徴とする有機ＥＬ照明装置。
【請求項２】
電流の大きさに応じて輝度が変化する発光素子部と、前記発光素子部に電流を制御して電圧を印加する電源供給部と、前記発光素子部を発光させるための信号を前記電源供給部に与える制御部とを有し、前記電源供給部が、前記制御部から与えられた信号に応じて電流を制御することにより電圧を前記発光素子部に印加する有機ＥＬ照明装置において、
前記電源供給部は、電源投入時または電源切断時に、前記発光素子部に印加する電圧を段階的またはステップ状に上昇または降下させる制御を行うことを特徴とする有機ＥＬ照明装置。
【請求項３】
請求項２に記載の有機ＥＬ照明装置において、
前記電源供給部は、前記段階的またはステップ状のステップ数とステップ幅とステップ高さとが可変である有機ＥＬ照明装置。
【請求項４】
電流の大きさに応じて輝度が変化する発光素子部と、前記発光素子部に電流を制御して電圧を印加する電源供給部と、前記発光素子部を発光させるための信号を前記電源供給部に与える制御部とを有し、前記電源供給部が、前記制御部から与えられた信号に応じて電流を制御することにより電圧を前記発光素子部に印加する有機ＥＬ照明装置において、
前記電源供給部は、電源投入時に、前記発光素子部に対して、前記発光素子部が駆動するための電圧未満の電圧を印加し、その後、前記発光素子部が駆動するための電圧を印加する制御を行うことを特徴とする有機ＥＬ照明装置。
【請求項５】
電流の大きさに応じて輝度が変化する発光素子部と、前記発光素子部に電流を制御し電圧を印加する電源供給部と、前記発光素子部を発光させるための信号を前記電源供給部に与える制御部とを有し、前記電源供給部が、前記制御部から与えられた信号に応じて電流を制御することにより電圧を前記発光素子部に印加する有機ＥＬ照明装置において、
前記電源供給部は、電源投入時または電源切断時に、前記発光素子部に印加する電圧を指数関数波形に上昇、または逆の波形で降下させる制御を行うことを特徴とする有機ＥＬ照明装置。
【請求項６】
請求項１乃至５のいずれか１項に記載の有機ＥＬ照明装置において、
前記制御部は、前記発光素子部を発光させるための信号をパルス信号によって前記電源供給部に供給し、
前記電源供給部は、前記パルス信号の立ち上がりまたは立ち下がり時に当該パルス信号について前記制御を行う有機ＥＬ照明装置。
【請求項７】
請求項６に記載の有機ＥＬ照明装置において、
前記電源供給部は、立ち下がり時の電圧を０Ｖまたはグランド電位以下とする有機ＥＬ照明装置。
【請求項８】
請求項６に記載の有機ＥＬ照明装置において、
前記電源供給部は、前記発光素子部の正負極にともにプラス電圧を印加しておき、前記発光素子部を発光させる際に、前記発光素子部の負極に印加している電圧を低下させることにより前記正負極間に電位差を生じさせる有機ＥＬ照明装置。
【発明の詳細な説明】
【技術分野】
【０００１】
本発明は、有機ＥＬ照明装置に関し、特に、電源投入時や駆動時の破壊防止技術に関する。
【背景技術】
【０００２】
有機ＥＬ照明パネルは、発光ダイオードであると同時に、構造的に大きな並行平板を備えたコンデンサとなっている。そのため、初期状態（電荷が溜まっていない状態）から電源投入時、または初期通電（電圧印加）を行うと、まずそれらのコンデンサの充電を行わなければならないため、過大電流・突入電流が発生、または定電流域からオーバーシュートし、過大電流による絶縁破壊や電気的短絡が発生してしまう。【０００３】
また、有機ＥＬパネルは容量を持ったコンデンサ成分を具備しているため、静電気の蓄積等により電極間に高電界が掛かるとコンデンサ（有機ＥＬパネル）が絶縁破壊を起こしてしまう。そのため、有機ＥＬ照明の実用化には、この電気的短絡の対策が必須となっている。【０００４】
ここで、放電灯を点灯させる際に電圧を段階的、ステップ状に上昇、下降させることにより、立ち上がり、立ち下がりを緩やかにする技術が考えられており、特許文献１に開示されている。
【先行技術文献】
【特許文献】
【０００５】
【特許文献１】特開２０１０−２３２０６４号公報
【発明の概要】
【発明が解決しようとする課題】
【０００６】
しかしながら、特許文献１に開示された技術は、蛍光灯等の放電灯に関するものであり、有機ＥＬは全く異なった発光方式を用いているため、回路の観点からすると上記のような問題点を解決できるものではない。【０００７】
具体的には、放電灯（蛍光灯）や白熱灯は、電圧駆動方式であるのに対し、有機ＥＬは電流駆動方式であり、有機ＥＬに流れる電流を制御することにより輝度・照度を調節するものであるため、電圧駆動方式の蛍光灯や白熱灯の照明器具に用いられている回路方式をそのまま有機ＥＬの照明器具に適用することはできない。【０００８】
また、蛍光灯は、交流駆動型照明であるのに対し、有機ＥＬは、一方向の電流時のみ発光する直流駆動型の電子デバイスである。蛍光灯は、内部を真空にした蛍光管の両端にフィラメントを設け、この両端のフィラメント間に電流を流し、このときに水銀蒸気の助けを借りて両端のフィラメント間で生じる真空放電によって発光することになる。このように、蛍光灯管の内部に封じられた水銀蒸気は、直流で点灯した場合、−極の方に集まってしまい、点灯を持続することができない。【０００９】
本発明は、上述したような技術が有する問題点に鑑みてなされたものであって、電源投入時における破壊を防止することができる有機ＥＬ照明装置を提供することを目的とする。
【課題を解決するための手段】
【００１０】
上記目的を達成するために本発明は、
電流の大きさに応じて輝度が変化する発光素子部と、前記発光素子部に電流を制御して電圧を印加する電源供給部と、前記発光素子部を発光させるための信号を前記電源供給部に与える制御部とを有し、前記電源供給部が、前記制御部から与えられた信号に応じて電流を制御することにより電圧を前記発光素子部に印加する有機ＥＬ照明装置において、
前記電源供給部は、電源投入時または電源切断時に、前記発光素子部に印加する電圧を線形に上昇または降下させる制御を行うことを特徴とする。【００１１】
また、電流の大きさに応じて輝度が変化する発光素子部と、前記発光素子部に電流を制御して電圧を印加する電源供給部と、前記発光素子部を発光させるための信号を前記電源供給部に与える制御部とを有し、前記電源供給部が、前記制御部から与えられた信号に応じて電流を制御することにより電圧を前記発光素子部に印加する有機ＥＬ照明装置において、
前記電源供給部は、電源投入時または電源切断時に、前記発光素子部に印加する電圧を段階的またはステップ状に上昇または降下させる制御を行うことを特徴とする。【００１２】
また、電流の大きさに応じて輝度が変化する発光素子部と、前記発光素子部に電流を制御して電圧を印加する電源供給部と、前記発光素子部を発光させるための信号を前記電源供給部に与える制御部とを有し、前記電源供給部が、前記制御部から与えられた信号に応じて電流を制御することにより電圧を前記発光素子部に印加する有機ＥＬ照明装置において、
前記電源供給部は、電源投入時に、前記発光素子部に対して、前記発光素子部が駆動するための電圧未満の電圧を印加し、その後、前記発光素子部が駆動するための電圧を印加する制御を行うことを特徴とする。
【発明の効果】
【００１３】
本発明は、以上説明したように構成されているため、工数やコストを増大させることなく、電源投入時に、通電開始時等または駆動時に急激な過大電流や突入電流があった場合においても、有機ＥＬパネルの絶縁破壊を防止することができる。
【図面の簡単な説明】
【００１４】
【図１】本発明の有機ＥＬ照明装置の実施の一形態を示す図である。
【図２】図１に示した有機ＥＬ発光部の構成を示す図である。
【図３】図１に示した有機ＥＬ照明装置の動作の第１の実施の形態を説明するための図である。
【図４】図１に示した有機ＥＬ照明装置の動作の第２の実施の形態を説明するための図である。
【図５】図１に示した有機ＥＬ照明装置の動作の第３の実施の形態を説明するための図である。
【図６】図１に示した有機ＥＬ照明装置の動作の第４の実施の形態を説明するための図である。
【図７】図１に示した有機ＥＬ照明装置の動作の第５の実施の形態を説明するための図である。
【図８】図１に示した有機ＥＬ照明装置の動作の第６の実施の形態を説明するための図である。
【図９】図１に示した有機ＥＬ照明装置の動作の第７の実施の形態を説明するための図である。
【図１０】図１に示した有機ＥＬ照明装置の動作の第８の実施の形態を説明するための図である。
【図１１】図１に示した有機ＥＬ照明装置の動作の第９の実施の形態を説明するための図である。
【図１２】図１に示した有機ＥＬ照明装置の動作の第１０の実施の形態を説明するための図である。
【図１３】図１に示した有機ＥＬ照明装置の動作の第１１の実施の形態を説明するための図である。
【図１４】図１に示した有機ＥＬ照明装置の動作の第１２の実施の形態を説明するための図である。
【図１５】図１に示した有機ＥＬ照明装置の動作の第１３の実施の形態を説明するための図である。
【図１６】図１に示した有機ＥＬ照明装置の動作の第１４の実施の形態を説明するための図である。
【図１７】図１に示した有機ＥＬ照明装置の動作の第１５の実施の形態を説明するための図である。
【発明を実施するための形態】
【００１５】
以下に、本発明の実施の形態について図面を参照して説明する。
【００１６】
図１は、本発明の有機ＥＬ照明装置の実施の一形態を示す図である。
【００１７】
本形態は図１に示すように、電流の大きさに応じて輝度が変化する発光素子部となる有機ＥＬ発光部１０と、商用電源４０と、商用電源４０を用いて有機ＥＬ発光部１０に電流を制御して電圧を印加する電源供給部２０と、有機ＥＬ発光部１０を発光させるための信号を電源供給部２０に与える制御部３０とから構成されている。制御部３０は、有機ＥＬ発光部１０を発光させるための輝度制御信号を生成する輝度制御信号生成部３１を有している。また、電源供給部２０は、商用電源４０による交流電圧を整流、平滑する整流・平滑回路２１と、整流・平滑回路２１にて整流、平滑された交流電圧を直流電圧に変換するコンバータ２２と、コンバータ２２にて変換された直流電圧を用いて制御部３０から与えられた信号に応じて電流を制御し、電圧を有機ＥＬ発光部１０に印加する駆動回路２３とを有している。
【００１８】
図２は、図１に示した有機ＥＬ発光部１０の構成を示す図であり、積層構造を示す。
【００１９】
図１に示した有機ＥＬ発光部１０は図２に示すように、陰極１１と、電子注入層１２と、電子輸送層１３と、発光層１４と、正孔輸送層１５と、正孔注入層１６と、透明電極（ＩＴＯ）１７と、ガラス基板１８と、拡散板１９とが積層された構造を有し、陰極１１と透明電極１７との間の電位差によって電流駆動する一般的なものである。なお、電子輸送層１３と、発光層１４との間に、正孔ブロック層を設けてもよい。また、前記構造に限らず、正孔注入輸送層や発光層に高分子材料を用いた素子構成とすることもできる。
【００２０】
各層の材料としては、以下に例を挙げた中から選択して用いることができるが、これに限ったものではない。
【００２１】
正孔注入層１６には銅フタロシアニン（Ｃｕ-Ｐｃ）やスターバースト型芳香族アミンのようなアリールアミン誘導体等、正孔輸送層１５には、ビス（ジ（ｐ−トリル）アミノフェニル）−１，１−シクロヘキサン、Ｎ,Ｎ’−ジフェニル−Ｎ−Ｎ−ビス（１−ナフチル）−１,１’−ビフェニル）−４,４’−ジアミン（α−ＮＰＤ）、４，４'−ビス（ｍ−トリルフェニルアミノ）ビフェニル（ＴＰＤ）等のトリフェニルジアミン類や、スターバースト型芳香族アミン等を用いることができる。
【００２２】
発光層１４には、トリス（８−キノリノール）アルミニウム錯体（Ａｌｑ３）、ビスジフェニルビニルビフェニル（ＢＤＰＶＢｉ）、１，３−ビス（ｐ−ｔ−ブチルフェニル−１，３，４−オキサジアゾールイル）フェニル（ＯＸＤ−７）、Ｎ，Ｎ'−ビス（２，５−ジ−ｔ−ブチルフェニル）ペリレンテトラカルボン酸ジイミド（ＢＰＰＣ）、１，４ビス（Ｎ−ｐ−トリル−Ｎ−４−（４−メチルスチリル）フェニルアミノ）ナフタレン等を用いて形成することができる。
【００２３】
また、発光層１４は、ホストとドーパントの二成分系からなるものであってもよく、ホスト化合物として、上記発光材料や正孔輸送材料、後述する電子輸送材料を用いることができる。例えば、Ａｌｑ３等のキノリノール金属錯体に４−ジシアノメチレン−２−メチル−６−（ｐ−ジメチルアミノスチリル）−４Ｈ−ピラン（ＤＣＭ）、４−（ジシアノ  メチレン）−２−ｔ−ブチル−６−（１，１，７，７−テトラメチルユロリジル−９−エニル）  −４Ｈ−ピラン（ＤＣＪＴＢ）等のピラン系誘導体（赤色）、２，３−キナクリドン等のキナクリドン誘導体や、３−（２'−ベンゾチアゾール）−７−ジエチルアミノクマリン等のクマリン誘導体をドープしたもの（緑色）、電子輸送材料のビス（２−メチル−８−ヒドロキシキノリン）−４−フェニルフェノール−アルミニウム錯体に、ペリレン等の縮合多環芳香族をドープしたもの（青色）、あるいは正孔輸送材料のＴＰＤにルブレン等をドープしたもの（黄色）、４，４’−ビスカルバゾリルビフェニル（ＣＢＰ）、４，４´−ビス（９−カルバゾリル）−２，２’−ジメチルビフェニル（ＣＤＢＰ）等のカルバゾール系化合物に、トリス−（２フェリニルピリジン）イリジウム（Ｉｒ(ｐｐｙ)３）（緑色）、ビス（４，６−ジ−フルオロフェニル）−ピリジネート−Ｎ，Ｃ２）  イリジウム（ピコリネート）  （ＦＩｒ（ｐｉｃ））（青色）、ビス（２−２’−ベンゾチエニル）−ピリジネート−Ｎ，  Ｃ３イリジウム（アセチルアセトネート）    （Ｂｔｐ２Ｉｒ（ａｃａｃ））（赤色）、トリス−（ピコリネート）イリジウム  （Ｉｒ（ｐｉｃ）３）（赤色）、ビス（２−フェニルベンゾチオゾラト−Ｎ，Ｃ２）イリジウム（アセチルアセトネート）  （Ｂｔ２Ｉｒ（ａｃａｃ））（黄色）等のイリジウム錯体や白金錯体をドープしたもの等を用いることができる。
【００２４】
正孔ブロック層には、２，９‐ジメチル‐４，７‐ジフェニル‐１，１０‐フェナントロリン（ＢＣＰ）、トリフェニルジアミン誘導体、トリアゾール誘導体等、電子輸送層には、２−（４−ビフェニリル）−５−（４−ｔ−ブチルフェニル）−１，３，４−オキサジアゾール（Ｂｕ−ＰＢＤ）、ＯＸＤ−７等のオキサジアゾール誘導体、トリアゾール誘導体、キノリノール系の金属錯体等を用いることができる。電子輸送層には、２−（４−ビフェニリル）−５−（４−ｔ−ブチルフェニル）−１，３，４−オキサジアゾール（Ｂｕ−ＰＢＤ）、ＯＸＤ−７等のオキサジアゾール誘導体、トリアゾール誘導体、キノリノール系の金属錯体等を用いることができる。電子注入層１２には、リチウムやセシウム等のアルカリ金属、若しくは、カルシウム等のアルカリ土類金属のフッ化物や酸化物等を用いることができる。陰極１１には、アルミニウムや銀などの比抵抗が小さく、反射率の高い材料を用いることができる。
【００２５】
発光材料は赤緑青や黄色に発光し、照明として白色を得る場合は、これらの中から選択して素子を作製し、加法混色して所望の色温度の白色を得る。
【００２６】
以下に、上記のように構成された有機ＥＬ照明装置の動作について説明する。
【００２７】
（第１の実施の形態）
図３は、図１に示した有機ＥＬ照明装置の動作の第１の実施の形態を説明するための図であり、有機ＥＬ発光部１０に印加される電圧を示す。なお、図中Ｖｐは有機ＥＬ照明パネル駆動電位、Ｖｇは接地電位を示す。
【００２８】
図３に示すように、本形態においては、電源供給部２０において、電源投入時（立ち上げ時）または電源切断時（立ち下げ時）に、有機ＥＬ発光部１０に印加する電圧を線形に上昇または降下させる制御を行い、それにより、突入電流による急峻な電位変動を防止する。なお、有機ＥＬ発光部１０に印加する電圧が安定駆動電圧となるまでの時間は、回路の時定数以上であることが望ましいが、時間が長いと点灯の応答速度が遅く感じられる。突入電流を防止するだけの充電量があればよい。
【００２９】
正孔注入材料にＣｕ−Ｐｃ、正孔輸送材料にα−ＮＰＤ、発光材料としてＣＢＰにＩｒ（ｐｐｙ）３、Ｂｔｐ２Ｉｒ（ａｃａｃ）をドープ、さらにＣＢＰにＦＩｒ（ｐｉｃ）をドープし、正孔ブロック層にＢＣＰ、電子輸送層にＡｌｑ３、電子注入材料にＬｉＦ、陰極にＡｌを用いて素子を作製し、駆動電流を２５Ａ／ｍ2流したところ、駆動電圧は４．８Ｖ、輝度は９２５ｃｄ／ｍ2、この照明パネルとしての時定数は、０．２２ｍ秒であった。この有機ＥＬ照明点灯装置を、点灯開始から１０ｍ秒を掛けて電流を制御し、定常時駆動電流、安定駆動電圧となるまで上昇させ、消灯時に１０ｍ秒を掛けて電圧を降下させた。評価サンプル数ｎ＝２５で２４時間点灯試験を行い、ショート不良を確認したところ、不良は発生しなかった。
【００３０】
比較例として、同じ構成の素子に従来の駆動方法と同じく、電源投入時に定常駆動電流を流す、または止めたところ、駆動開始から２４時間以内に評価サンプル数ｎ＝２５中、１９パネルでショート不良が認められた。
【００３１】
（第２の実施の形態）
図４は、図１に示した有機ＥＬ照明装置の動作の第２の実施の形態を説明するための図であり、有機ＥＬ発光部１０に印加される電圧を示す。
【００３２】
図４に示すように、本形態においては、電源供給部２０において、電源投入時（立ち上げ時）または電源切断時（立ち下げ時）に、有機ＥＬ発光部１０に印加する電圧を段階的にまたはステップ状に上昇または降下させる制御を行い、それにより、突入電流による急峻な電位変動を防止する。この際、ステップ数（段数）とステップ幅、ステップ高さを可変とし、これらによって充電を制御できる。例えば、立ち上がり初期はステップ幅を大きく、かつステップ高さを小さくし、駆動電圧に近づくに従ってステップ幅を小さく、かつ高さを大きくすれば、電圧の急峻な上昇がなく、電気的短絡による不良を回避することができる。なお、有機ＥＬ発光部１０に印加する電圧が安定駆動電圧となるまでの時間は、回路の時定数以上であることが望ましいが、人の目に認識される点灯の応答速度が遅くなる。突入電流を防止するだけの充電量があればよい。
【００３３】
第１の実施の形態と同じ構成の素子を作製し、定常時駆動電流を２５Ａ／ｍ２流したところ、定常時における駆動電圧は４．８Ｖ、輝度は９３０ｃｄ／ｍ2であった。この有機ＥＬ照明点灯装置を、点灯開始から定常時駆動電流、安定駆動電圧となるまで１０ｍ秒をかけて電流値を制御し、３段階で電圧を上昇、消灯時には１０ｍ秒をかけて３段階で降下させた。詳細には、最初の５ｍ秒で０．３Ｖ、次の３ｍ秒で１．２Ｖ、次の２ｍ秒で３．３Ｖのステップで昇圧した。評価サンプル数ｎ＝２５で２４時間点灯試験を行い、ショート不良を確認したところ、不良は発生しなかった。
【００３４】
（第３の実施の形態）
図５は、図１に示した有機ＥＬ照明装置の動作の第３の実施の形態を説明するための図であり、有機ＥＬ発光部１０に印加される電圧を示す。
【００３５】
図５に示すように、本形態においては、電源供給部２０において、電源投入時（立ち上げ時）に、有機ＥＬ発光部１０に対して、発光開始電圧Ｖth以下、少なくとも有機ＥＬ発光部１０を駆動させるための電圧Ｖf以下の電圧となる電流を流し、この電圧分で有機ＥＬパネルの充電を行い、その後、有機ＥＬ発光部１０が駆動するための安定駆動電圧（定電流駆動時の到達電圧）を印加する制御を行い、それにより、突入電流による急峻な電位変動を防止する。なお、有機ＥＬ発光部１０に印加する電圧が安定駆動電圧となるまでの時間は、回路の時定数以上であることが望ましいが、人の目に認識される点灯の応答速度が遅くなる。突入電流を防止するだけの充電量があればよい。
【００３６】
第１の実施の形態と同じ構成の有機ＥＬパネルを作製し、定常時駆動電流を２５Ａ／ｍ２流したところ、定常時における駆動電圧は４．７Ｖ、輝度は９２０ｃｄ／ｍ2であった。駆動開始から６ｍ秒間、有機ＥＬ発光部の電位が１．９Ｖとなるよう電流を流した後、定常時駆動電流、安定駆動電圧となるまで電圧を上昇、消灯時には１．９Ｖを６ｍ秒間維持した後、０Ｖ（装置接地電位）まで降下させた。評価サンプル数ｎ＝２５で２４時間点灯試験を行い、ショート不良を確認したところ、不良は発生しなかった。
【００３７】
（第４の実施の形態）
図６は、図１に示した有機ＥＬ照明装置の動作の第４の実施の形態を説明するための図であり、有機ＥＬ発光部１０に印加される電圧を示す。
【００３８】
図６に示すように、本形態においては、電源供給部２０において、電源投入時（立ち上げ時）または電源切断時（立ち下げ時）に、有機ＥＬ発光部１０に印加する電圧を、最初の印加電圧を小さく、徐々に電圧の上昇幅を大きくするよう指数関数波形に上昇、または逆の波形で降下させる制御を行い、それにより、突入電流による急峻な電位変動を防止する。なお、有機ＥＬ発光部１０に印加する電圧が安定駆動電圧となるまでの時間は、回路の時定数以上であることが望ましいが、時間が長いと点灯の応答速度が遅く感じられる。突入電流を防止するだけの充電量があればよい。
【００３９】
第１の実施例の形態と同じ構成の有機ＥＬパネルを作製し、定常時駆動電流を２５Ａ／ｍ2流したところ、定常時における駆動電圧は４．８Ｖ、輝度は９２０ｃｄ／ｍ2であった。この有機ＥＬ照明点灯装置を、点灯開始から１０ｍ秒を掛けて電流を制御し、定常時駆動電流、安定駆動電圧となるまで指数関数波形となるよう上昇させ、消灯時に１０ｍ秒を掛けて同様な波形で電圧を降下させた。評価サンプル数ｎ＝２５で２４時間点灯試験を行い、ショート不良を確認したところ、不良は発生しなかった。
【００４０】
（第５の実施の形態）
図７は、図１に示した有機ＥＬ照明装置の動作の第５の実施の形態を説明するための図であり、有機ＥＬ発光部１０に印加される電圧を示す。
【００４１】
図７に示すように、本形態においては、制御部３０において、有機ＥＬ発光部１０を発光させるための信号をパルス信号によって電源供給部２０に供給し、調光・調色を行う。そして、電源供給部２０において、そのパルス信号の立ち上がりまたは立ち下がり時にパルス信号について第１の実施の形態に示したものと同様の制御を行う。なお、有機ＥＬ発光部１０に印加する電圧が安定駆動電圧となるまでの時間は、回路の時定数以上であることが望ましいが、安定電圧時間が短く、例えば６０Ｈｚ以下と周波数が小さくなったときにフリッカとして認識される場合があるので、突入電流を防ぐだけの充電量があればよい。
【００４２】
このように、有機ＥＬ照明装置の調光・調色時でＰＷＭ（パルス幅変調）駆動を行う場合においても、本発明を適用できる。
【００４３】
第１の実施の形態と同じ構成の素子を作製し、定常時駆動電流を２５Ａ／ｍ2流したところ、定常時における駆動電圧は４．８Ｖ、輝度は９２５ｃｄ／ｍ2であった。この有機ＥＬ照明点灯装置を調光するために、パルス幅変調駆動を行った。そのパルス信号の立ち上がり時に、電流を制御することにより点灯開始から２ｍ秒を掛けて定常時駆動電流、安定駆動電圧となるまで上昇させ、または立ち下がり時に２ｍ秒を掛けて電圧を降下させた。これを１サイクルとし、Ｄｕｔｙ比１０〜７０％で２４時間点灯試験を行った。評価サンプル数ｎ＝２５でショート不良を確認したところ、不良は発生しなかった。
【００４４】
比較例として、同じ構成の素子に従来のパルス幅変調方法と同じく、パルス信号の立ち上がりまたは立ち下がり時に定常駆動電流、駆動電圧を瞬時に加えるまたは止めたところ、駆動開始から２４時間以内に評価サンプル数ｎ＝２５中、２１パネルでショート不良が認められた。
【００４５】
（第６の実施の形態）
図８は、図１に示した有機ＥＬ照明装置の動作の第６の実施の形態を説明するための図であり、有機ＥＬ発光部１０に印加される電圧を示す。
【００４６】
図８に示すように、本形態においては、制御部３０において、有機ＥＬ発光部１０を発光させるための信号をパルス信号によって電源供給部２０に供給し、調光・調色を行う。そして、電源供給部２０において、そのパルス信号の立ち上がりまたは立ち下がり時にパルス信号について第２の実施の形態に示したものと同様の制御を行う。この際、ステップ数（段数）とステップ幅、ステップ高さを可変とし、これらによって充電を制御できる。例えば、立ち上がり初期はステップ幅を大きく、かつステップ高さを小さくし、駆動電圧に近づくに従ってステップ幅を小さく、かつ高さを大きくすれば、電圧の急峻な上昇がなく、電気的短絡による不良を回避することができる。なお、有機ＥＬ発光部１０に印加する電圧が安定駆動電圧となるまでの時間は、回路の時定数以上であることが望ましいが、安定電圧時間が短く、例えば６０Ｈｚ以下と周波数が小さくなったときにフリッカとして認識される場合があるので、突入電流を防ぐだけの充電量があればよい。
【００４７】
このように、有機ＥＬ照明装置の調光・調色時でＰＷＭ（パルス幅変調）駆動を行う場合においても、本発明を適用できる。
【００４８】
第１の実施の形態と同じ構成の素子を作製し、定常時駆動電流を２５Ａ／ｍ2流したところ、定常時における駆動電圧は４．６Ｖ、輝度は９１５ｃｄ／ｍ2であった。この有機ＥＬ照明点灯装置を調光するために、パルス幅変調駆動を行った。そのパルス信号の立ち上がり時に、定常時駆動電流、安定駆動電圧となるまで２ｍ秒をかけて電流を制御し、３段階で電圧を上昇、消灯時には２ｍ秒をかけて３段階で降下させた。詳細には、最初の１ｍ秒で０．２Ｖ、次の０．７ｍ秒で１．３Ｖ、次の０．３ｍ秒で３．１Ｖのステップで昇圧し、また、立ち下がり時には、同様に、２ｍ秒を掛けて３段階で電圧を降圧した。これを１サイクルとし、Ｄｕｔｙ比１０〜７０％で２４時間点灯試験を行った。評価サンプル数ｎ＝２５でショート不良を確認したところ、不良は発生しなかった。
【００４９】
（第７の実施の形態）
図９は、図１に示した有機ＥＬ照明装置の動作の第７の実施の形態を説明するための図であり、有機ＥＬ発光部１０に印加される電圧を示す。
【００５０】
図９に示すように、本形態においては、制御部３０において、有機ＥＬ発光部１０を発光させるための信号をパルス信号によって電源供給部２０に供給し、調光・調色を行う。そして、電源供給部２０において、そのパルス信号の立ち上がりまたは立ち下がり時にパルス信号について第３の実施の形態に示したものと同様の制御を行う。なお、有機ＥＬ発光部１０に印加する電圧が安定駆動電圧となるまでの時間は、回路の時定数以上であることが望ましいが、安定電圧時間が短く、例えば６０Ｈｚ以下と周波数が小さくなったときにフリッカとして認識される場合があるので、突入電流を防ぐだけの充電量があればよい。
【００５１】
第１の実施の形態と同じ構成の素子を作製し、定常時駆動電流を２５Ａ／ｍ2流したところ、定常時における駆動電圧は４．８Ｖ、輝度は９２０ｃｄ／ｍ2であった。この有機ＥＬ照明点灯装置を調光するために、パルス幅変調駆動を行った。点灯開始から１ｍ秒間電流を制御し、２．０Ｖを印加した後、定常時駆動電流、安定駆動電圧となるまで電圧を上昇、非点灯区間は２．０Ｖまで電圧を降下させた。消灯時には２．０Ｖを１ｍ秒間維持した後、０Ｖ（装置接地電位）まで降下させた。これを１サイクルとし、Ｄｕｔｙ比１０〜７０％で２４時間点灯試験を行った。評価サンプル数ｎ＝２５でショート不良を確認したところ、不良は発生しなかった。
【００５２】
このように、有機ＥＬ照明装置の調光・調色時でＰＷＭ（パルス幅変調）駆動を行う場合においても、本発明を適用できる。
【００５３】
（第８の実施の形態）
図１０は、図１に示した有機ＥＬ照明装置の動作の第８の実施の形態を説明するための図であり、有機ＥＬ発光部１０に印加される電圧を示す。
【００５４】
図１０に示すように、本形態においては、制御部３０において、有機ＥＬ発光部１０を発光させるための信号をパルス信号によって電源供給部２０に供給し、調光・調色を行う。そして、電源供給部２０において、そのパルス信号の立ち上がりまたは立ち下がり時にパルス信号について第４の実施の形態に示したものと同様の制御を行う。なお、有機ＥＬ発光部１０に印加する電圧が安定駆動電圧となるまでの時間は、回路の時定数以上であることが望ましいが、安定電圧時間が短く、例えば６０Ｈｚ以下と周波数が小さくなったときにフリッカとして認識される場合があるので、突入電流を防ぐだけの充電量があればよい。
【００５５】
第１の実施例の形態と同じ構成の有機ＥＬパネルを作製し、定常時駆動電流を２５Ａ／ｍ2流したところ、定常時における駆動電圧は４．８Ｖ、輝度は９１５ｃｄ／ｍ2であった。この有機ＥＬ照明点灯装置を調光するために、パルス幅変調駆動を行った。そのパルス信号の立ち上がり時に、電流を制御することにより点灯開始から２ｍ秒を掛けて定常時駆動電流、安定駆動電圧となるまで指数関数波形となるよう上昇させ、または立ち下がり時に２ｍ秒を掛けて同様な波形で電圧を降下させた。これを１サイクルとし、Ｄｕｔｙ比１０〜７０％で２４時間点灯試験を行った。評価サンプル数ｎ＝２５でショート不良を確認したところ、不良は発生しなかった。
【００５６】
（第９の実施の形態）
図１１は、図１に示した有機ＥＬ照明装置の動作の第９の実施の形態を説明するための図であり、有機ＥＬ発光部１０に印加される電圧を示す。
【００５７】
図１１に示すように、本形態においては、制御部３０において、有機ＥＬ発光部１０を発光させるための信号をパルス信号によって電源供給部２０に供給し、調光・調色を行う。そして、電源供給部２０において、立ち下がり時の電圧を０Ｖまたは接地電位以下としておき、パルス信号の立ち上がりまたは立ち下がり時にパルス信号について第１または第５の実施の形態に示したものと同様の制御を行う。有機材料のキャリア伝導性は、分子間の酸化と還元を繰り返しているが、一方向への継続的な電圧印加は材料の劣化を促進し、有機ＥＬの輝度劣化、電圧上昇の一因となっている。そこで、本形態のように、駆動電圧とは逆極性の電圧を印加しておくことで、電荷蓄積による劣化促進を抑制することができ、長寿命化を図ることができる。また、逆極性の電圧により前のパルス（サイクル）による電荷蓄積が無くなるため、次のパルスによる立ち上がり時の鈍りによる駆動品質の低下を防ぐことができる。
【００５８】
第１の実施の形態と同じ構成の素子を作製し、定常時駆動電流を２５Ａ／ｍ2流したところ、定常時における駆動電圧は４．８Ｖ、輝度は９２０ｃｄ／ｍ2であった。この有機ＥＬ照明点灯装置を調光するために、パルス幅変調駆動を行った。具体的には、パルス信号の立ち下がり時の電圧を−５Ｖとし、パルス信号の立ち上がり時に、電流を制御することにより定常時駆動電流、安定駆動電圧となるまで２ｍ秒をかけて上昇させ、または立ち下がり時に２ｍ秒を掛けて電圧を降下させ、これを１サイクルとし、交番電界を印加した。評価サンプル数ｎ＝２５で、Ｄｕｔｙ比１０〜７０％で２４時間点灯試験を行った。ショート不良を確認したところ、不良は発生しなかった。
【００５９】
（第１０の実施の形態）
図１２は、図１に示した有機ＥＬ照明装置の動作の第１０の実施の形態を説明するための図であり、有機ＥＬ発光部１０に印加される電圧を示す。
【００６０】
図１２に示すように、本形態においては、制御部３０において、有機ＥＬ発光部１０を発光させるための信号をパルス信号によって電源供給部２０に供給し、調光・調色を行う。そして、電源供給部２０において、立ち下がり時の電圧を０Ｖまたは接地電位以下としておき、パルス信号の立ち上がりまたは立ち下がり時にパルス信号について第２または第６の実施の形態に示したものと同様の制御を行う。有機材料のキャリア伝導性は、分子間の酸化と還元を繰り返しているが、一方向への継続的な電圧印加は材料の劣化を促進し、有機ＥＬの輝度劣化、電圧上昇の一因となっている。そこで、本形態のように、駆動電圧とは逆極性の電圧を印加しておくことで、電荷蓄積による劣化促進を抑制することができ、長寿命化を図ることができる。また、逆極性の電圧により前のパルス（サイクル）による電荷蓄積が無くなるため、次のパルスによる立ち上がり時の鈍りによる駆動品質低下を防ぐことができる。
【００６１】
第１の実施の形態と同じ構成の素子を作製し、定常時駆動電流を２５Ａ／ｍ2流したところ、定常時における駆動電圧は４．７Ｖ、輝度は９１５ｃｄ／ｍ2であった。この有機ＥＬ照明点灯装置を調光するために、パルス幅変調駆動を行った。具体的には、パルス信号の立ち下がり時の電圧を−４Ｖとし、立ち上がり時に、定常時駆動電流、安定駆動電圧となるまで２ｍ秒をかけて電流を制御し、３段階で電圧を上昇、立ち下り時には２ｍ秒をかけて３段階で降下させた。詳細には、最初の１ｍ秒で０．３Ｖ、次の０．７ｍ秒で１．２Ｖ、次の０．３ｍ秒で３．２Ｖのステップで昇圧し、また、立ち下がり時には、同様に、２ｍ秒を掛けて３段階で電圧を降圧した。これを１サイクルとし、交番電界を印加した。評価サンプル数ｎ＝２５で、Ｄｕｔｙ比１０〜７０％で２４時間点灯試験を行った。ショート不良を確認したところ、不良は発生しなかった。
【００６２】
（第１１の実施の形態）
図１３は、図１に示した有機ＥＬ照明装置の動作の第１１の実施の形態を説明するための図であり、有機ＥＬ発光部１０に印加される電圧を示す。
【００６３】
図１３に示すように、本形態においては、制御部３０において、有機ＥＬ発光部１０を発光させるための信号をパルス信号によって電源供給部２０に供給し、調光・調色を行う。そして、電源供給部２０において、立ち下がり時の電圧を０Ｖまたは接地電位以下としておき、パルス信号の立ち上がりまたは立ち下がり時にパルス信号について第３または第７の実施の形態に示したものと同様の制御を行う。有機材料のキャリア伝導性は、分子間の酸化と還元を繰り返しているが、一方向への継続的な電圧印加は材料の劣化を促進し、有機ＥＬの輝度劣化、電圧上昇の一因となっている。そこで、本形態のように、駆動電圧とは逆極性の電圧を印加しておくことで、電荷蓄積による劣化促進を抑制することができ、長寿命化を図ることができる。また、逆極性の電圧により前のパルス（サイクル）による電荷蓄積が無くなるため、次のパルスによる立ち上がり時の鈍りによる駆動品質低下を防ぐことができる。
【００６４】
第１の実施の形態と同じ構成の素子を作製し、定常時駆動電流を２５Ａ／ｍ2流したところ、定常時における駆動電圧は４．８Ｖ、輝度は９２０ｃｄ／ｍ2であった。この有機ＥＬ照明点灯装置を調光するために、パルス幅変調駆動を行った。具体的には、立ち下がり時の電圧を−４Ｖとし、パルス信号の立ち上がり時に、定常時駆動電流、安定駆動電圧となるまで２ｍ秒間１．８Ｖを印加した後、定常時駆動電流、安定駆動電圧となるまで電圧を上昇、立ち下り時には１．８Ｖを２ｍ秒間維持した後、０Ｖ（装置接地電位）まで降下させた。これを１サイクルとし、交番電界を印加した。評価サンプル数ｎ＝２５で、Ｄｕｔｙ比１０〜７０％で２４時間点灯試験を行った。ショート不良を確認したところ、不良は発生しなかった。
【００６５】
（第１２の実施の形態）  
図１４は、図１に示した有機ＥＬ照明装置の動作の第１２の実施の形態を説明するための図であり、有機ＥＬ発光部１０に印加される電圧を示す。
【００６６】
図１４に示すように、本形態においては、制御部３０において、有機ＥＬ発光部１０を発光させるための信号をパルス信号によって電源供給部２０に供給し、調光・調色を行う。そして、電源供給部２０において、立ち下がり時の電圧を０Ｖまたは接地電位以下としておき、パルス信号の立ち上がりまたは立ち下がり時にパルス信号について第４または第８の実施の形態に示したものと同様の制御を行う。有機材料のキャリア伝導性は、分子間の酸化と還元を繰り返しているが、一方向への継続的な電圧印加は材料の劣化を促進し、有機ＥＬの輝度劣化、電圧上昇の一因となっている。そこで、本形態のように、駆動電圧とは逆極性の電圧を印加しておくことで、電荷蓄積による劣化促進を抑制することができ、長寿命化を図ることができる。また、逆極性の電圧により前のパルス（サイクル）による電荷蓄積が無くなるため、次のパルスによる立ち上がり時の鈍りによる駆動品質低下を防ぐことができる。
【００６７】
第１の実施の形態と同じ構成の素子を作製し、定常時駆動電流を２５Ａ／ｍ2流したところ、定常時における駆動電圧は４．７Ｖ、輝度は９１０ｃｄ／ｍ2であった。この有機ＥＬ照明点灯装置を調光するために、パルス幅変調駆動を行った。具体的には、パルス信号の立ち下がり時の電圧を−５Ｖとし、パルス信号の立ち上がり時に、電流を制御することにより定常時駆動電流、安定駆動電圧となるまで指数関数波形となるよう２ｍ秒をかけて上昇させ、または立ち下がり時に２ｍ秒を掛けて同様な波形で電圧を降下させ、これを１サイクルとし、交番電界を印加した。評価サンプル数ｎ＝２５で、Ｄｕｔｙ比１０〜７０％で２４時間点灯試験を行った。ショート不良を確認したところ、不良は発生しなかった。
【００６８】
（第１３の実施の形態）
図１５は、図１に示した有機ＥＬ照明装置の動作の第１３の実施の形態を説明するための図であり、有機ＥＬ発光部１０に印加される電圧を示す。
【００６９】
図１５に示すように、本形態においては、制御部３０において、有機ＥＬ発光部１０を発光させるための信号をパルス信号によって電源供給部２０に供給し、調光・調色を行う。そして、電源供給部２０において、有機ＥＬ発光部１０の正負極にともにプラス電圧を印加しておき、有機ＥＬ発光部１０を発光させる際に、負極に印加している電圧をゼロ電位（装置設置電位）または正負極間電位差が点灯電位となるようにすることにより、正負極間に電位差を持たせ、有機ＥＬ素子を発光させる。この立ち下がり時または立ち上がり時に、第５の実施の形態に示したものと同様の制御を行う。通常、有機ＥＬ素子にゼロ電位から正極側にプラス電位を印加すると、有機ＥＬの容量成分があって立ち上がりが遅くなるが、この方式を用いることにより前記現象を防ぐことができ、応答速度を向上することができる。本形態の点灯方式を用いることにより、ＰＷＭ駆動を行った場合においても波形が鈍ることがなく高速応答が可能で、高駆動周波数時においても、また低デューティ駆動時においても良好な点灯を維持できる。そのため、低輝度から高輝度において連続的な調光も可能となる。なお、有機ＥＬ発光部１０に印加する電圧が安定駆動電圧となるまでの時間は、回路の時定数以上であることが望ましいが、安定電圧時間が短く、例えば６０Ｈｚ以下と周波数が小さくなったときにフリッカとして認識される場合があるので、突入電流を防ぐだけの充電量があればよい。
【００７０】
第１の実施の形態と同じ構成の素子を作製し、定常時駆動電流を２５Ａ／ｍ2流したところ、定常時における駆動電圧は４．８Ｖ、輝度は９１５ｃｄ／ｍ2であった。この有機ＥＬ照明点灯装置を調光するために、パルス幅変調駆動を行った。具体的には、有機ＥＬ素子の正負極にともに＋４．０Ｖを印加し、有機ＥＬ素子を発光させる際に、負極側の電圧を、正負極間が点灯電位差となるよう−０．８Ｖとした。パルス信号の立ち下がり時に、安定駆動電圧となるまで１ｍ秒を掛けて下降させ、または立ち上がり時に１ｍ秒を掛けて電圧を上昇させた。これを１サイクルとし、Ｄｕｔｙ比１０〜８０％で信頼性試験を行った。評価サンプル数ｎ＝２５でショート不良を確認したところ、不良は発生しなかった。
【００７１】
（第１４の実施の形態）
図１６は、図１に示した有機ＥＬ照明装置の動作の第１４の実施の形態を説明するための図であり、有機ＥＬ発光部１０に印加される電圧を示す。
【００７２】
図１６に示すように、本形態においては、制御部３０において、有機ＥＬ発光部１０を発光させるための信号をパルス信号によって電源供給部２０に供給し、調光・調色を行う。そして、電源供給部２０において、有機ＥＬ発光部１０の正負極にともにプラス電圧を印加しておき、有機ＥＬ発光部１０を発光させる際に、負極に印加している電圧をゼロ電位（装置設置電位）または正負極間電位差が点灯電位となるようにすることにより、正負極間に電位差を持たせ、有機ＥＬ素子を発光させる。この立ち下がり時または立ち上がり時に、第６の実施の形態に示したものと同様の制御を行う。この際、ステップ数（段数）とステップ幅、ステップ高さを可変とし、これらによって充電を制御できる。例えば、立ち上がり初期はステップ幅を大きく、かつステップ高さを小さくし、駆動電圧に近づくに従ってステップ幅を小さく、かつ高さを大きくすれば、電圧の急峻な上昇がなく、電気的短絡による不良を回避することができる。なお、有機ＥＬ発光部１０に印加する電圧が安定駆動電圧となるまでの時間は、回路の時定数以上であることが望ましいが、安定電圧時間が短く、例えば６０Ｈｚ以下と周波数が小さくなったときにフリッカとして認識される場合があるので、突入電流を防ぐだけの充電量があればよい。
【００７３】
第１の実施の形態と同じ構成の素子を作製し、定常時駆動電流を２５Ａ／ｍ2流したところ、定常時における駆動電圧は４．８Ｖ、輝度は９２０ｃｄ／ｍ2であった。この有機ＥＬ照明点灯装置を調光するために、パルス幅変調駆動を行った。具体的には、有機ＥＬ素子の正負極にともに＋４．８Ｖを印加し、有機ＥＬ素子を発光させる際に、負極側の電圧を、正負極間が点灯電位差となるよう０Ｖとした。そのパルス信号の立ち下がり時に、定常時駆動電流、安定駆動電圧となるまで１ｍ秒をかけて３段階で電圧を下降、消灯時には１ｍ秒をかけて３段階で上昇させた。詳細には、最初の０．５ｍ秒で−０．３Ｖ、次の０．３５ｍ秒で−１．２Ｖ、次の０．１５ｍ秒で−３．３Ｖのステップで降圧し、また、立ち上がり時には、同様に、１ｍ秒を掛けて３段階で電圧を昇圧した。これを１サイクルとし、Ｄｕｔｙ比１０〜８０％で信頼性試験を行った。評価サンプル数ｎ＝２５でショート不良を確認したところ、不良は発生しなかった。
【００７４】
（第１５の実施の形態）
図１７は、図１に示した有機ＥＬ照明装置の動作の第１５の実施の形態を説明するための図であり、有機ＥＬ発光部１０に印加される電圧を示す。
【００７５】
図１７に示すように、本形態においては、制御部３０において、有機ＥＬ発光部１０を発光させるための信号をパルス信号によって電源供給部２０に供給し、調光・調色を行う。そして、電源供給部２０において、有機ＥＬ発光部１０の正負極にともにプラス電圧を印加しておき、有機ＥＬ発光部１０を発光させる際に、負極に印加している電圧をゼロ電位（装置接地電位）または正負極間電位差が点灯電位となるようにすることにより、正負極間に電位差を持たせ、有機ＥＬ素子を発光させる。この立ち下がり時または立ち上がり時に、第８の実施の形態に示したものと同様の制御を行う。通常、有機ＥＬ素子にゼロ電位から正極側にプラス電位を印加すると、有機ＥＬの容量成分があって立ち上がりが遅くなるが、この方式を用いることにより前記現象を防ぐことができ、応答速度を向上することができる。
【００７６】
なお、有機ＥＬ発光部１０に印加する電圧が安定駆動電圧となるまでの時間は、回路の時定数以上であることが望ましいが、安定電圧時間が短く、例えば６０Ｈｚ以下と周波数が小さくなったときにフリッカとして認識される場合があるので、突入電流を防ぐだけの充電量があればよい。
【００７７】
第１の実施の形態と同じ構成の素子を作製し、定常時駆動電流を２５Ａ／ｍ2流したところ、定常時における駆動電圧は４．８Ｖ、輝度は９１５ｃｄ／ｍ2であった。この有機ＥＬ照明点灯装置を調光するために、パルス幅変調駆動を行った。具体的には、有機ＥＬ素子の正負極にともに＋４．０Ｖを印加し、有機ＥＬ素子を発光させる際に、負極側の電圧を、正負極間が点灯電位差となるよう−０．８Ｖとした。パルス信号の立ち下がり時に、安定駆動電圧となるまで１ｍ秒を掛けて下降させ、または立ち上がり時に１ｍ秒を掛けて電圧を上昇させた。これを１サイクルとし、Ｄｕｔｙ比１０〜８０％で信頼性試験を行った。評価サンプル数ｎ＝２５でショート不良を確認したところ、不良は発生しなかった。
【００７８】
以上、上記各実施の形態を参照して本願発明を説明したが、本願発明は上記各実施の形態に限定されるものではない。本願発明の構成や詳細には、本願発明のスコープ内で当業者が理解し得る様々な変更をすることができる。
【００７９】
この出願は、２０１１年７月２８日に出願された日本出願特願２０１１−１６５０６４を基礎とする優先権を主張し、その開示の全てをここに取り込む。
【産業上の利用可能性】
【００８０】
本発明の活用例としては、有機ＥＬ一般用照明装置、液晶ディスプレイ等のバックライト等が挙げられる。
【図１】
2013015094.tif 000003
【図２】
2013015094.tif 000004
【図３】
2013015094.tif 000005
【図４】
2013015094.tif 000006
【図５】
2013015094.tif 000007
【図６】
2013015094.tif 000008
【図７】
2013015094.tif 000009
【図８】
2013015094.tif 000010
【図９】
2013015094.tif 000011
【図１０】
2013015094.tif 000012
【図１１】
2013015094.tif 000013
【図１２】
2013015094.tif 000014
【図１３】
2013015094.tif 000015
【図１４】
2013015094.tif 000016
【図１５】
2013015094.tif 000017
【図１６】
2013015094.tif 000018
【図１７】
2013015094.tif 000019
【国際調査報告】
2013015094.tif 000020
2013015094.tif 000021
2013015094.tif 000022
2013015094.tif 000023
2013015094.tif 000024
2013015094.tif 000025
2013015094.tif 000026